(57)【要約】【課題】虫防除剤の効力を十分に高めるとともに、虫防除剤の寿命を把握できるようにする。【解決手段】揮発性を有する液状の虫防除剤を空気中に拡散させる虫防除剤拡散器１０において、虫防除剤を充填する容器１５を備え、容器１５は、虫防除剤を視認可能に構成されるとともに、揮発した虫防除剤を通過させ、かつ、液状の虫防除剤を通過させないように構成されている。【選択図】図１
2013070638.tif 000002
【特許請求の範囲】
【請求項１】
揮発性を有する虫防除剤を空気中に拡散させる虫防除剤拡散器において、
液状の虫防除剤を充填する容器を備え、
上記容器は、上記虫防除剤を該容器の外部から視認可能な透光部と、揮発した虫防除剤を通過させ、かつ、液状の虫防除剤を通過させないように構成された揮発成分通過部とを有することを特徴とする虫防除剤拡散器。
【請求項２】
請求項１に記載の虫防除剤拡散器において、
上記虫防除剤は、虫を防除するための有効成分と、有効成分を溶かす溶剤とを含んでおり、
上記有効成分の濃度は８重量％以上に設定されていることを特徴とする虫防除剤拡散器。
【請求項３】
請求項２に記載の虫防除剤拡散器において、
上記溶剤の蒸発速度（ｎ−ＢｕＡｃ＝１００）は、２０以上であることを特徴とする虫防除剤拡散器。
【請求項４】
請求項２または３に記載の虫防除剤拡散器において、
上記虫防除剤は、第１の溶剤と、第１の溶剤よりも蒸発速度の速い第２の溶剤とを含んでいることを特徴とする虫防除剤拡散器。
【請求項５】
請求項４に記載の虫防除剤拡散器において、
上記容器の上部における所定位置の水平方向の断面積は、該所定位置よりも下方の水平方向の断面積よりも大きく設定されていることを特徴とする虫防除剤拡散器。
【発明の詳細な説明】
【技術分野】
【０００１】
本発明は、虫防除剤を空気中に拡散させるように構成された虫防除剤拡散器に関するものである。
【背景技術】
【０００２】
従来から、容器に充填した揮発性の薬剤を該容器から徐々に放出して空気中に拡散させるように構成された装置が知られている（特許文献１参照）。
【０００３】
特許文献１の装置は、液状の芳香剤が充填された透明容器の他に、蚊の防除剤を含浸させたネット状の含浸体を備えており、これら容器及び含浸体が１つのケースに収容されている。
【先行技術文献】
【特許文献】
【０００４】
【特許文献１】特開２０１１−１３９６４５号公報
【発明の概要】
【発明が解決しようとする課題】
【０００５】
ところで、特許文献１のような装置を使用する際、使用者は虫防除剤の効力が発揮されているか否かが気になる。特許文献１では、芳香剤に関しては透明容器に充填されているので、使用者が芳香剤の残量を外部から見て寿命を知ることができるが、虫防除剤は含浸体に含浸させているだけなので、寿命を知ることができない。特に、含浸体の虫防除剤の臭いが弱かったり、無臭である場合には、使用者は虫防除剤の効果が発揮されているか否か、臭いを手がかりにして知ることもできない。
【０００６】
そこで、透明容器内の芳香剤の寿命と、含浸体の虫防除剤の寿命とを一致させておくことが考えられる。こうすることで、使用者は、透明容器内の芳香剤の残量を手がかりにして含浸体の虫防除剤の寿命も知ることが可能になり、透明容器内の芳香剤を、虫防除剤の寿命を表示するインジケータとして利用することが可能になる。
【０００７】
ところが、そのように透明容器と含浸体とを設けようとすると装置が全体として大型化し、設置場所が限られるという問題がある。
【０００８】
また、特許文献１のような装置の使用者は、特に虫防除剤の効力に対する要求が強く、より一層効力を向上させなければならない。
【０００９】
本発明は、かかる点に鑑みてなされたものであり、その目的とするところは、虫防除剤の効力を十分に高めるとともに、虫防除剤の寿命を把握できるようにすることにある。
【課題を解決するための手段】
【００１０】
本発明は、上記課題に鑑みてなされたものであり、容器の外部から虫防除剤を視認できるようにするとともに、虫防除剤の揮発した成分のみを容器内から外部へ通過可能にした。
【００１１】
第１の発明は、揮発性を有する虫防除剤を空気中に拡散させる虫防除剤拡散器において、液状の虫防除剤を充填する容器を備え、上記容器は、上記虫防除剤を該容器の外部から視認可能な透光部と、揮発した虫防除剤を通過させ、かつ、液状の虫防除剤を通過させないように構成された揮発成分通過部とを有することを特徴とするものである。
【００１２】
この構成によれば、容器内に高濃度の有効成分を含む液状の虫防除剤を充填した場合に、その虫防除剤が液状のまま外部へ出ることはないので、虫防除剤の漏れが防止される。一方、虫防除剤が容器内で揮発すると揮発成分通過部を通過して外部へ出て空気中に拡散し、虫防除剤による高い効力が得られる。
【００１３】
また、使用者が虫防除剤を容器の外部から視認できるので、虫防除剤の残量を知ることが可能になる。よって、虫防除剤の残量を表示するためのインジケータを別途設ける必要はなくなる。
【００１４】
第２の発明は、第１の発明において、上記虫防除剤は、虫を防除するための有効成分と、有効成分を溶かす溶剤とを含んでおり、上記有効成分の濃度は８重量％以上に設定されていることを特徴とするものである。
【００１５】
この構成によれば、有効成分の濃度が高まるので、高濃度の有効成分が容器から放出されることになる。
【００１６】
第３の発明は、第２の発明において、上記溶剤の蒸発速度（ｎ−ＢｕＡｃ＝１００）は、２０以上であることを特徴とするものである。
【００１７】
この構成によれば、溶剤の蒸発速度が高まるので、多くの有効成分を溶剤に乗せて揮発成分通過部から放出させ続けることが可能になる。
【００１８】
第４の発明は、第２または３の発明において、上記虫防除剤は、第１の溶剤と、第１の溶剤よりも蒸発速度の速い第２の溶剤とを含んでいることを特徴とするものである。
【００１９】
この構成によれば、第２の溶剤の蒸発速度が速いので、使用開始直後、第２の溶剤によって有効成分を多めに放出して高い効力が素早く得られる。その後、蒸発速度の遅い第１の溶剤によって長期間に亘って有効成分を放出することが可能になる。
【００２０】
第５の発明は、第４の発明において、上記容器の上部における所定位置の水平方向の断面積は、該所定位置よりも下方の水平方向の断面積よりも大きく設定されていることを特徴とするものである。
【００２１】
すなわち、上記第４の発明では、使用開始直後の虫防除剤の減少量が多くなるので液面の変位量が大きくなり、使用者は虫防除剤が急激に減少しているように感じることになるが、本発明では、容器の上部の断面積が比較的大きくなっているので、使用開始直後の虫防除剤の減少量が多くても液面の変位量は小さくなる。これにより、使用開始直後とその後とで液面の変化速度が大きく変わらないようにすることが可能になる。
【発明の効果】
【００２２】
第１の発明によれば、容器に虫防除剤を視認可能な透光部と虫防除剤の揮発成分を通過させる揮発成分通過部とを設けている。これにより、高濃度の虫防除剤を空気中に放出して拡散させることができ、高い効力を得ることができるとともに、容器内の虫防除剤を外部から視認して虫防除剤の寿命を把握することができる。
【００２３】
第２の発明によれば、虫を防除するための有効成分の濃度を８重量％以上にしたので、より一層高い効力を得ることができる。
【００２４】
第３の発明によれば、溶剤の蒸発速度を２０以上にしたので、より一層高い効力を得ることができる。
【００２５】
第４の発明によれば、使用開始直後、蒸発速度の速い第２の溶剤によって有効成分を多めに放出して高い効力を素早く得ることができ、その後、蒸発速度の遅い第１の溶剤によって有効成分を徐々に放出して効力を長期間得ることができる。
【００２６】
第５の発明によれば、容器の上部の断面積を大きくしたので、使用開始直後の虫防除剤の減少量が多くても液面の変位量を小さくすることができ、使用者が違和感を感じにくくなる。
【図面の簡単な説明】
【００２７】
【図１】実施形態１にかかる虫防除剤拡散器の正面図である。
【図２】容器本体と透湿防水フィルムの側面図である。
【図３】図１におけるIII−III線断面図である。
【図４】有効成分の濃度と効力との関係を示すグラフである。
【図５】小スケールＫＤ試験法の説明図である。
【図６】放出部の表面積と効力との関係を示すグラフである。
【図７】各種有効成分の濃度と効力との関係を示すグラフである。
【図８】有効成分の濃度を変更した場合の放出部の表面積と効力との関係を示すグラフである。
【図９】準実地忌避試験法の説明図である。
【図１０】実施形態２にかかる容器の正面図である。
【図１１】図１０におけるXI−XI線断面図である。
【図１２】実施形態２の変形例１にかかる図１０相当図である。
【図１３】実施形態２の変形例２にかかる図１０相当図である。
【図１４】図１３におけるXIV−XIV線断面図である。
【発明を実施するための形態】
【００２８】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２９】
（実施形態１）
図１は、本発明の実施形態１にかかる虫防除剤拡散器１０を示すものである。この虫防除拡散器１０は、虫防除剤が充填される容器１１と、容器１１を収容するケース１２（仮想線で示す）とを備えており、例えば家庭の玄関や居室等に置いて使用される。
【００３０】
ケース１２には、図示しないが貫通孔が形成されている。この貫通孔を介して空気がケース１２に出入りし、虫防除剤が拡散するようになっている。
【００３１】
尚、ケース１２には、虫防除剤の拡散効果を高めるためのファン等を配設してもよい。
【００３２】
図２に示すように、容器１１は、容器本体１５と透湿防水フィルム１６とを備えている。容器本体１５は、全体が無色透明な樹脂製プレートを成形してなるものであり、内部の虫防除剤を視認可能な透光部を構成している。容器本体１５は図１に示すように正面視で略矩形状である。
【００３３】
容器本体１５の外周部は全周に亘って略平坦に形成され、透湿防水フィルム１６の外周部が溶着される溶着部２０とされている。容器本体１５の溶着部２０よりも内側には、略矩形の凹部２１が全体に亘って形成されている。図３に示すように、凹部２１の外周部２１ａは、該外周部２１ａよりも内側に比べて深く窪むように形成されている。また、図１に示すように、凹部２１の外周部２１ａよりも内側には、凹部２１内へ向けて突出する４つの突条部２１ｃ，２１ｃ，…が形成されている。これら突条部２１ｃは、容器本体１５の４つの辺とそれぞれ略平行に延びている。
【００３４】
透湿防水フィルム１６は、液状の虫防除剤を通過させず、かつ、揮発した虫防除剤を通過させる周知の部材で構成されている。この透湿防水フィルム１６は、半透明で柔軟性を有しており、容器本体１５の溶着部２０の外形状と略同じ形状に成形されている。透湿防水フィルム１６の外周部は、全周に亘って容器本体１５の溶着部２０に溶着される溶着部１６ａとされている。容器本体１５の溶着部２０と透湿防水フィルム１６の溶着部１６ｂとを溶着することで、密封状態となる。
【００３５】
透湿防水フィルム１６の容器１１外側に臨む面（外面）は、虫防除剤拡散器１０の使用開始前に密封シート（図示せず）により覆われており、揮発した虫防除剤が通過しないようになっている。この密封シートは、透湿防水フィルム１６から容易に剥離することができるものである。
【００３６】
透湿防水フィルム１６における溶着部１６ａよりも内側は、全体が容器本体１５の凹部２１内に臨む部分となり、この部分が、揮発した虫防除剤を容器１１外部へ放出するための放出部１６ｂとなる。放出部１６ｂの表面積は、２０ｃｍ２以上１００ｃｍ２以下に設定されており、従って容器１１の小型化が図られている。放出部１６ｂの表面積としてより好ましい範囲は、４０ｃｍ２以上６０ｃｍ２以下である。
【００３７】
虫防除剤は、蚊を防除するための有効成分としてのトランスフルトリンと、トランスフルトリンを溶かすための溶剤とを含んでいる。有効成分としては、トランスフルトリンの他、例えば、メトフルトリン、エムペントリン、プロフルトリン等を用いてもよい。また、溶剤としては、イソパラフィン系炭化水素が好ましく、例えば、出光興産株式会社製のＩＰソルベント等を用いることができる。
【００３８】
トランスフルトリンは、虫防除剤中の濃度が８重量％以上３０重量％以下となるように添加されている。また、溶剤はＩＰソルベントの品番ＩＰ１０１６、ＩＰ１６２０、ＩＰ２０２８、ＩＰ２８３５であり、好ましくは、ＩＰ１０１６、ＩＰ１６２０である。
尚、ＩＰ１０１６の蒸発速度（ｎ−ＢｕＡｃ＝１００）は１５３であり、ＩＰ１６２０は２０であり、ＩＰ２０２８は５であり、ＩＰ２８３５は１である。
【００３９】
虫防除剤を容器１１に充填した状態で密封シートを透湿防水フィルム１６から剥離させると、液状の虫防除剤は透湿防水フィルム１６を通過しないので、容器１１から洩れ出すことはなく、揮発した虫防除剤が透湿防水フィルム１６の放出部１６ｂを通過して外部へ放出される。このとき、容器１１内の虫防除剤の濃度が８重量％以上の高濃度であるため、外部へ放出された虫防除剤による効力は高い。
【００４０】
そして、使用開始から時間が経過するに従って容器１１内の虫防除剤が減少していく。容器本体１５が透明であるため、使用者は虫防除剤の残量を容易に把握することができる。
【００４１】
次に、有効成分であるトランスフルトリンの濃度と効力との関係について図４に示す実験結果に基づいて説明する。図４では、縦軸に相対効力値をとり、横軸にトランスフルトリンの濃度（重量％）をとっている。相対効力値とは、溶剤をＩＰ２８３５とし、トランスフルトリンを２．５重量％とした場合の効力を１としたときの相対効力を示す値である。
【００４２】
実験方法は図５に示す小スケールＫＤ試験法を用いた。すなわち、内容積約６６５ｃｍ３の透明プラスチックカップと、ネットとを用意する。そして、プラスチックカップ内部の上下方向中間部に水平方向に延びるように上記ネットを固定する。ネットの上面には、虫防除剤が充填された容器１１を置き、揮発した虫防除剤を該容器１１の透湿防水フィルム１６から放出させる。容器１１内には、虫防除剤を１．５ｍｌ充填した。供試虫は、ヒトスジシマカの雌（成虫）である。プラスチックカップの中に供試虫を２０匹入れて密封し、所定時間経過後に、動かなくなった供試虫の数を数えた。
【００４３】
図４において、溶剤をＩＰ１０１６とした場合を実施例１とし、ＩＰ１６２０とした場合を実施例２とし、ＩＰ２０２８とした場合を実施例３とし、ＩＰ２８３５とした場合を実施例４としている。
【００４４】
実施例１〜４において、トランスフルトリンの濃度が８重量％以上であれば、相対効力値が２以上となり、十分に高い効力が得られる。尚、トランスフルトリンの濃度を高めるほど相対効力値が上昇していくが、虫防除剤の製造コストも上昇することになるので、効力とコストとを考慮すると、トランスフルトリンの濃度は３０重量％以下が好ましく、より好ましくは、２０％である。
【００４５】
また、実施例１は、実施例２〜４に比べて全体的に相対効力値が高く、特にトランスフルトリンの濃度が高くなるほど実施例２〜４との差が大きくなる。これは実施例１の溶剤であるＩＰ１０１６の蒸発速度が、実施例２〜４の溶剤の蒸発速度よりも速いためである。
【００４６】
次に、透湿防水フィルム１６の放出部１６ａの表面積を変更した場合の効力について図６に示す実験結果に基づいて説明する。図６では、縦軸に相対効力値をとり、横軸に放出部１６ｂの表面積（ｃｍ２）をとっている。相対効力値とは、トランスフルトリンを５重量％とし、溶剤をＩＰ２０２８とし、放出部１６ａの表面積を１８ｃｍ２とした場合の効力を１としたときの相対効力を示す値である。実験方法は上記した小スケールＫＤ試験法である。
【００４７】
実施例１〜４のそれぞれで放出部１６ａの表面積が２０ｃｍ２以上あれば、相対効力値を１以上とすることができ、十分な効力が得られる。また、放出部１６ａの表面積が４０ｃｍ２では、効力が最も低い実施例４でも相対効力値が２以上であり、実用上十分である。放出部１６ｂの表面積を広くすると高い効力が得られる反面、容器１１が大きくなってしまう点で好ましくなく、よって、効力と容器１１の大きさとを考慮すると、上述したように４０ｃｍ２以上６０ｃｍ２以下が好ましい範囲である。
【００４８】
次に、有効成分をトランスフルトリン、メトフルトリン、エムペントリン、プロフルトリンとし、各々について濃度を変更した場合の効力について図７に示す実験結果に基づいて説明する。図７では、縦軸に相対効力値をとり、横軸に各有効成分の濃度（重量％）をとっている。相対効力値とは、溶剤をＩＰ２０２８とし、トランスフルトリンを１０重量％とした場合の効力を１としたときの相対効力を示す値である。実験方法は上記した小スケールＫＤ試験法である。
【００４９】
有効成分をトランスフルトリンとした場合を実施例５とし、メトフルトリンとした場合を実施例６とし、エムペントリンとした場合を実施例７とし、プロフルトリンとした場合を実施例８としている。相対効力値１以上とするためには、実施例５の場合は濃度が１０％以上が好ましく、実施例６の場合は濃度が７．４％以上が好ましく、実施例７の場合は濃度が２３．３％以上が好ましく、実施例８の場合は濃度が１９．３％以上が好ましい。
【００５０】
次に、有効成分の濃度と放出部１６ｂの表面積とを変更した場合の効力について図８に示す実験結果に基づいて説明する。図８では、縦軸に忌避率をとり、横軸に放出部１６ｂの表面積（ｃｍ２）をとっている。
【００５１】
忌避率は、図９に示す準実地忌避試験法によって得た値である。まず、「屋外」と想定する１２畳の第１室と、「屋内」と想定する４畳の第２室とを用意する。第１室の壁には複数の窓を設けて換気を行う。換気回数は、９．５回／時間である。第１室と第２室との間には蚊が自由に出入りできるように開放部分を設けている。第２室には、蚊の誘引源としての６０℃の温水を容器に入れて置いておく。また、第２室には扇風機を設置し、空気を対流させる。室温は２５℃である。虫防除剤拡散器１０は、第２室の出入り口付近で床から１００ｃｍの高さに設置し、３０分間、虫防除剤を放出させた。供試虫はヒトスジシマカの雌（成虫）であり、１００匹を第１室に放ち、それから１．５時間経過後に、第１室と第２室とを区画する。第１室及び第２室のそれぞれについて動かなくなった供試虫の数を数えて次式により忌避率を算出した。
忌避率＝（１−虫防除剤処理時の第２室への生虫侵入率）／虫防除剤無処理時の第２室への生虫侵入率
侵入率とは、全供試虫に対する第２室内に生存する供試虫（生虫）の割合である。
【００５２】
図８において、トランスフルトリンが５重量％である場合を実施例９とし、トランスフルトリンが１０重量％である場合を実施例１０とし、トランスフルトリンが２０重量％である場合を実施例１１としている。溶剤は全てＩＰ２０２８である。
【００５３】
実施例９の場合は、表面積が９５ｃｍ２までは忌避率が向上していくが、９５ｃｍ２を越えると忌避率が殆ど変化しなくなる。よって、実施例９では、表面積の上限は９５ｃｍ２以下が好ましい。
【００５４】
実施例１０の場合は、表面積が４７ｃｍ２までは忌避率が向上していくが、４７ｃｍ２を越えると忌避率が殆ど変化しなくなる。よって、実施例１０では、表面積の上限は４７ｃｍ２以下が好ましい。
【００５５】
実施例１１の場合は、表面積が３０ｃｍ２までは忌避率が向上していくが、３０ｃｍ２を越えると忌避率が殆ど変化しなくなる。よって、実施例１１では、表面積の上限は３０ｃｍ２以下が好ましい。
【００５６】
また、虫防除剤拡散器１０による効力の持続日数は、虫防除剤の容量によって調整できる他、溶剤の蒸発速度によっても調整できる。すなわち、蒸発速度の速い溶剤を使用すれば持続日数を短くでき、また、蒸発速度の遅い溶剤を使用すれば持続日数を長くできる。本実施形態では、効力持続日数が６０日以上２００日以下となるようにしている。
【００５７】
以上説明したように、この実施形態１にかかる虫防除剤拡散器１０によれば、高濃度の虫防除剤を空気中に放出して拡散させることができ、高い効力を得ることができるとともに、容器１１内の虫防除剤を外部から視認して虫防除剤の寿命を把握することができる。
【００５８】
また、虫を防除するための有効成分の濃度を８重量％以上にすることで、より一層高い効力を得ることができる。
【００５９】
また、溶剤の蒸発速度を２０以上にすることで、より一層高い効力を得ることができる。
【００６０】
実施形態１において、複数種の有効成分を組み合わせて用いてもよいし、複数種の溶剤を組み合わせて用いてもよい。
【００６１】
（実施形態２）
図１０及び図１１は、本発明の実施形態２にかかる虫防除剤拡散器１０の容器１１を示すものである。
【００６２】
この実施形態２では、容器１１の形状及び虫防除剤が実施形態１とは異なっており、他の部分は同じであるため、以下、実施形態１と異なる部分について詳細に説明する。
【００６３】
容器１１の上部の所定位置（破線Ａで示す位置）における水平方向の断面積は、その所定位置よりも下方の破線Ｂで示す位置における水平方向の断面積よりも大きくなっている。すなわち、容器本体１５は、正面視で下に頂点が位置する略二等辺三角形とされており、凹部２１は、容器本体１５の外形状と略相似な略二等辺三角形である。
【００６４】
また、虫防除剤の溶剤としては、ＩＰ１０１６とＩＰ２０２８の２種類が混合されている。ＩＰ１０１６はＩＰ２０２８よりも蒸発速度が速いので揮発しやすく、従って、虫防除剤拡散器１０の使用開始直後には、ＩＰ１０１６によって有効成分を多めに拡散させることができ、使用開始直後から高い効力が得られる。使用開始からある程度時間が経過すると、蒸発速度の遅いＩＰ２０２８によって有効成分が徐々に拡散することになる。つまり、蒸発速度の速い溶剤と遅い溶剤とを混合することにより、使用開始直後の効力を高めながら、長期間に亘って高い効力を得ることが可能になる。本発明の第１の溶剤は、ＩＰ２０２８であり、第２の溶剤はＩＰ１０１６である。
【００６５】
ＩＰ１０１６の代わりに例えばエタノール等の蒸気圧の高い溶剤を使用してもよい。また、ＩＰ２０２８の代わりにＩＰ２８３５を使用してもよい。目標持続日数が短くてもよい場合には蒸発速度が速い溶剤を用い、目標持続日数を長くしたい場合には蒸発速度が遅い溶剤を用いればよい。また、３種類以上の溶剤を混合してもよい。
【００６６】
実施形態２の場合、使用開始直後の虫防除剤の減少量がそれよりも後の減少量に比べて多くなるが、容器１１の上部の断面積が比較的大きくなっているので、使用開始直後の液面の変位量を小さくすることが可能になる。これにより、使用開始直後とそれよりも後とで液面の変化速度が大きく変わらないようにすることができる。よって、使用者が、使用開始直後に虫防除剤の減りが異様に速い等の違和感を感じにくくなる。
【００６７】
また、虫防除剤拡散器１０による効力の持続日数を１２０日とする場合には、虫防除剤の容量を６ｍｌとし、溶剤としてＩＰ２０２８及びＩＰ２８３５を用い、ＩＰ２０２８及びＩＰ２８３５の比を１：１にすればよい。また、虫防除剤拡散器１０による効力の持続日数を１８０日とする場合には、虫防除剤の容量を９ｍｌとし、１２０日の場合と同じ溶剤を用いればよい。
【００６８】
以上説明したように、この実施形態２にかかる虫防除剤拡散器１０によれば、実施形態１と同様に、高い効力を得ることができるとともに、容器１１内の虫防除剤を外部から視認して虫防除剤の寿命を把握することができる。
【００６９】
尚、容器１１の形状としては、図１２に示す変形例１のように、正面視で略Ｔ字状にしてもよい。この変形例１のものでも、上部（破線Ａ）の水平方向の断面積を下方（破線Ｂ）に比べて大きくすることができる。
【００７０】
また、容器１１の形状としては、図１３及び図１４に示す変形例２のように、凹部２１の上側（破線Ａ）を下側（破線Ｂ）よりも深く形成してもよい。この変形例２のものでも、上部の水平方向の断面積を下方に比べて大きくすることができる。
【００７１】
また、上記実施形態１，２では、防除対象が蚊である場合について説明したが、これ以外にも、ハエ等も対象にすることができる。虫防除剤の有効成分は対象とする虫を防除するのに適した成分を選択すればよく、上記に限られるものではない。また、虫防除剤の溶剤も上記に限られるものではない。
【００７２】
また、容器１１の形状も上記に限られるものではなく、例えば正面視で円形、長円形、楕円形であってもよい。
【産業上の利用可能性】
【００７３】
以上説明したように、本発明にかかる虫防除剤拡散器は、例えば蚊を防除するのに使用できる。
【符号の説明】
【００７４】
１０        虫防除剤拡散器
１１        容器
１２        ケース
１５        容器本体
１６        透湿防水フィルム
１６ａ      溶着部
１６ｂ      放出部
２０        溶着部
２１        凹部
２１ａ      外周部
２１ｃ      突条部
【図１】
2013070638.tif 000003
【図２】
2013070638.tif 000004
【図３】
2013070638.tif 000005
【図４】
2013070638.tif 000006
【図５】
2013070638.tif 000007
【図６】
2013070638.tif 000008
【図７】
2013070638.tif 000009
【図８】
2013070638.tif 000010
【図９】
2013070638.tif 000011
【図１０】
2013070638.tif 000012
【図１１】
2013070638.tif 000013
【図１２】
2013070638.tif 000014
【図１３】
2013070638.tif 000015
【図１４】
2013070638.tif 000016